(57)【要約】      （修正有）【課題】浴槽及び足湯浴槽等に二酸化炭素を容易に溶け込ませる器具であり、特に遊離炭酸濃度を効果的に富加する浴槽投入式浴槽用遊離炭酸供給器を提供する。【解決手段】略円形の筒状であって、気泡噴出孔６を有する有低の支持体２に、気泡発生部を構成する気体透過材１６をクレーズフィルムにて形成する超微細気泡発生用ノズル８と、レギュレーター１０と、圧縮ボンベ１２を収容し、締結キャップ１４を支持体２に勘合して、圧縮ボンベ１２に充填されている二酸化炭素を超微細気泡発生用ノズル８内に開放し、浴槽に投入することにより、容易に炭酸浴が提供される。【選択図】図１
0003223507.tif 000002
【実用新案登録請求の範囲】
【請求項１】
略円形の筒状であって、気泡噴出孔（６）を有する保護カバー（４）で形成される有低の支持体（２）と、気泡発生部を構成する気体透過材（１６）を通気性クレーズフィルムにて形成する超微細気泡発生用ノズル（８）と、レギュレーター（１０）と、圧縮ボンベ（１２）と、締結キャップ（１４）で構成される浴槽投入式浴槽用遊離炭酸供給器。
【請求項２】
超微細気泡発生用ノズル（８）の気泡発生部を構成する気体透過材（１６）を通気性を有する多孔性セラミックスにて形成する、請求項１に記載の浴槽投入式浴槽用遊離炭酸供給器。
【考案の詳細な説明】
【技術分野】
【０００１】
本考案は、浴槽及び足湯浴槽等に二酸化炭素を溶け込ませる器具であり、特に二酸化炭素を超微細な気泡の形態で浴槽等へ供給することにより、浴槽の遊離炭酸濃度を効果的に富加できる器具及び装置に関するものである。
【背景技術】
【０００２】
従来、浴槽、足湯浴槽等に二酸化炭素を溶存させる方法としては、投入することにより液中に二酸化炭素を発生する固形の二酸化炭素発生剤、或いは、同様に二酸化炭素を発生する薬用入浴剤等が医薬部外品として取り扱われている。また、エアレーションによる二酸化炭素の供給は一般に行われ、ときとして電解による二酸化炭素の発生も試みられている。
【０００３】
本考案に、気体透過材として用いられる気体透過性フィルムは、高分子樹脂フィルムにクレーズを生成してなるものであり、本考案者は、高分子樹脂フィルムにクレージング処理を施すことにより、フィルムにクレーズを生成させる方法（特許３１５６０５８号公報参照）を開示している。
【先行技術文献】
【特許文献】
【０００４】
【特許文献１】特許第３１５６０５８号公報
【特許文献２】特開平１１−２３１１０８号公報
【非特許文献】
【０００５】
【非特許文献１】井上祥平、泉井桂、田中晃二  著「二酸化炭素」株式会社東京化学同人  発行１９９４年
【考案の開示】
【考案が解決しようとする課題】
【０００６】
解決しようとする課題は、浴槽水及び水槽水等に、遊離炭酸を容易に富加する器具及び装置を提供する。
【課題を解決するための手段】
【０００７】
気泡噴出孔６を有する有低の支持体２に、気泡発生部２０を構成する気体透過材１６をクレーズフィルムにて形成する超微細気泡発生用ノズル８と、レギュレーター（減圧弁）１０と、二酸化炭素の充填された圧縮ボンベ１２を収容し、締結キャップ１４を支持体２の開放部に勘合することにより、圧縮ボンベ１２に充填されている二酸化炭素が、レギュレーター（減圧弁）１０を介して超微細気泡発生用ノズル８内に放出される本考案の浴槽用遊離炭酸供給器を、浴槽、足湯浴槽等に投入することで、炭酸浴を享受することが容易にできる。
【０００８】
本考案の浴槽投入式浴槽用遊離炭酸供給器は、圧縮状態の二酸化炭素ガスにて、高分子樹脂フィルムにクレーズを生成してなる気体透過性フィルムの一側を加圧し、クレーズを構成するボイド（微細な空孔）を拡張させ透過することにより、加圧された微細な気泡を浴槽、足湯浴槽等に放出して、遊離炭酸濃度を富加させることを特徴とする。
【考案の効果】
【０００９】
本考案は、泡の大きさと浮上速度が比例することに着眼し、上記方法により泡の微細化を成し得たものであり、この微細な気泡は浮力が極めて小さく、よって液中での停滞も長期化し溶存量が増加する。さらに加圧された微細な気泡は容易に液中に融合され気体溶存量が富加される。液中での停滞が長期化し溶存量が増加することは、二酸化炭素ガスの少量使用に繋がり、一般に市販されている二酸化炭素ガスの充填された圧縮ボンベの採用が可能となることで単純炭酸泉と同様の効果が得られる炭酸浴が家庭に提供される。
【図面の簡単な説明】
【００１０】
【図１】本考案の概略を示す構成図である。
【図２】本考案の詳細を示す全体断面図である。
【図３】本考案の詳細を示す部分断面図である。
【考案を実施するための最良の形態】
【００１１】
支持体２は、気泡噴出孔６を有する保護カバー４で形成される有低の筒状体であり、超微細気泡発生用ノズル８と、レギュレーター（減圧弁）１０と、圧縮ボンベ１２が固定して内蔵される。支持体２の開放部先端には、締結キャップ１４を勘合するためのネジ部が設けられている。
【００１２】
超微細気泡発生用ノズル８の本体は、周面に通気可能な細孔を無数有する有低の筒状体であり、外周面には気体透過材１６をクレーズフィルムにて構成する気泡発生部が形成され、筒状体の開放部がレギュレーター１０に固着される。
【００１３】
レギュレーター（減圧弁）１０には、圧縮ボンベ１２の先端開放部と当接する位置に通気孔を有する突起部が形成され、締結キャップ１４を支持体２と勘合することにより、該締結キャップ１４に圧縮ボンベ１２の先端開放部が、該突起部方向に強くおしつけられ、該圧縮ボンベ１２の先端開放部に設けられた隔壁が破壊され、圧縮ボンベ１２に充填されていた二酸化炭素が、レギュレーター（減圧弁）１０を介して超微細気泡発生用ノズル８の外周面に配設された気体透過材１６をクレーズフィルムにて構成する気泡発生部より超微細な気泡が浴槽、足湯浴槽等に放出される。
【００１４】
圧縮ボンベ１２内に１９ＭＰａ程度に圧縮されて充填された二酸化炭素は、レギュレーター（減圧弁）１０を介して、０．２ＭＰａ程度に減圧され、超微細気泡発生用ノズル８の周面に気体透過材として使用した高分子樹脂フィルムにクレーズを生成してなる通気性フィルムを加圧して透過される。これはクレーズを構成するボイドが通常の状態では気体も透過されることのない微細な貫通孔であり、加圧されることによりボイドが拡張してフィルムに通気性をもたせるものであることによる。フィルムを透過した二酸化炭素は、液中に融合されやすい加圧された微細な気泡の形態で浴槽、足湯浴槽等に放出され遊離炭酸濃度が富加される。
【実施例１】
【００１５】
本考案の実施例を以下に図示しながらさらに詳しく説明するが、これは代表的なものを示したものであり、本実施例により本考案が限定されるものではない。図１は本考案の概略を示す構成図である。圧縮ボンベ１２に１９ＭＰａ程度に圧縮されて充填された二酸化炭素は、レギュレーター（減圧弁）１０を介して、０．２ＭＰａ程度に減圧され、超微細気泡発生用ノズル８の気体透過材１６として使用される高分子樹脂フィルムにクレーズを生成してなる通気性フィルムを加圧して透過される。高分子樹脂フィルムにクレーズを生成してなる通気性フィルムを透過した二酸化炭素は、液中に融合しやすい加圧された微細な気泡の形態で浴槽、足湯浴槽等に放出され遊離炭酸濃度が富加される。
【００１６】
加圧された微細な気泡が容易に液中に融合されることは、次式により表される。
ｗ＝ｋＰ
この式においてｗは液体に溶ける気体の質量、Ｐは気体の圧力であり、ｋは比例定数である。このことから、溶ける気体の質量は気体の圧力に正比例することが解る。つまり液体に気体が溶けるときには、その液体に接触している気体の圧力が高くなるほど多くの気体が液体に溶けることになるのである。
【００１７】
本考案に用いられる二酸化炭素用圧縮ボンベ１２とレギュレーター（減圧弁）１０は一般に市販されているものであるが、圧縮ボンベ１２は二酸化炭素が１９ＭＰａ程度に圧縮されて充填されたもの、レギュレーター（減圧弁）１０は０.３５ＭＰａ以下に減圧可能なものが使用に適したものといえる。
【００１８】
超微細気泡発生用ノズル８は、気体透過材１６として高分子樹脂フィルムにクレーズを生成してなる通気性フィルムを装着することにより気密性を有するものである。レギュレーター（減圧弁）１０により０．２ＭＰａ程度に減圧された二酸化炭素は、超微細気泡発生用ノズル８に気体透過材１６として使用する高分子樹脂フィルムにクレーズを生成してなる通気性フィルムの微細な空孔（ボイド）を拡張してフィルムを透過する。一方その透過はボイドに透過量を制限され、加圧された微細な気泡の形態で徐々に浴槽、足湯浴槽等に放出される。
【００１９】
高分子樹脂フィルムにクレーズを生成してなる通気性フィルムのクレーズを構成するボイドは通常の状態では気体も透過されることのない微細な貫通孔であり、加圧されることにより拡張してフィルムに通気性をもたせるものである。ここでいうクレーズとは、高分子樹脂フィルムの表面に現れる表面クレーズとその内部に発生する内部クレーズの両方を含むものであって、細かなひび状の模様を有する領域をいう。そしてこのクレーズは、分子束（フィブリル）とボイドから構成されており、ボイドは、フィルムの表面だけでなくその厚さ方向に殆ど貫通しているが、一部においては貫通せずに厚さ方向の途中で止まっている。クレーズは、全体としてスポンジの構造に似たものとなっている。
【００２０】
この考案に用いる高分子樹脂フィルムとしては、ポリプロピレンを採用するのが望ましいが、クレーズが形成され得るものであればこれ以外に、ポリスチレン、ポリエチレン、ポリオレフィン、ポリエステル、ポリアミド、スチレン系樹脂、ポリカーボネート、ハロゲン含有熱可塑性樹脂、ニトリル樹脂等を採用しても良い。ポリフッ化ビニリデンは、低温から高温まで広い使用温度範囲をもち、可撓性を有すると共に力学的に優れ、また耐候性も極めて良く、可撓性が変わらず、耐薬品性にも優れる。従って、これらの条件が要求される場合には、さらに使用に適したものといえる。
【００２１】
これらの熱可塑性樹脂の中でも、フィルムやシートへの成形性や経済性の観点から、ポリオレフィン、ポリエステル、スチレン系樹脂、ハロゲン含有熱可塑性樹脂を使用することが好ましく、中でもポリオレフィン、スチレン系樹脂、ハロゲン含有熱可塑性樹脂を使用することが好ましい。これらの熱可塑性樹脂は、単独で用いても、複合して組成物として用いても、或いは、別の高分子樹脂をブレンドしたりしても良く、更には二種以上の樹脂を多層化して用いても良い。また、クレーズの形成の容易さから、該熱可塑性樹脂のガラス転移温度が−４５℃ 以上、好ましくは−３０℃ 以上、特に好ましくは−１５℃ 以上の樹脂を使用することが望ましい。組成物として使用するときや多層化して使用するときは、主な構成成分である熱可塑性樹脂のガラス転移温度が上記範囲内にあることが好ましい。これより低いガラス転移温度を示す熱可塑性樹脂の場合は、柔軟過ぎるためにクレーズの効率的な形成が難しい。
【００２２】
上記熱可塑性樹脂を用いて得られる高分子樹脂フィルム又はシートは、その製造方法に於いて特別な制約はなく、各種の成形方法を適用することにより得ることができるが、一般に広く行われているＴダイ押出成形法やブローアップを行うインフレーション成形法を適用して得られたものが工業的には有利である。また、高分子樹脂フィルムの厚みは、一般に０．５〜１，０００μｍ、好ましくは１〜８００μｍ、特に好ましくは２〜５００μｍのものが使用される。
【００２３】
上記、高分子樹脂フィルムは、配向度が、複屈折率で０．５×１０−３以上、好ましくは１×１０−３以上、特に好ましくは１．５×１０−３以上にある分子配向度を有することが、クレーズの形成には有効である。この複屈折率が上記範囲外の分子配向を有するフィルムでは、目的とするクレーズを容易に形成され難い。配向度は、該フィルムの成形時の、樹脂温度、引き取り速度、冷却速度、樹脂の分子量、分子量分布、タクティスティ等の分子構造を、特にＴダイ法であればドロー比を、特にインフレーション法であればブローアップ比、等を変えることにより制御することができるので、これらを適当に制御して目的とする好ましい範囲の配向度のフィルムを製造することができる。ここで言う複屈折率とは、主屈折率間の差として表現されるもので、例えば、フィルムの成形方向の屈折率（ｎ１）とそれと直角方向の屈折率（ｎ２）の差（ｎ１−ｎ２）であり、分子配向の程度を表現するインデックスの一つである。これら複屈折率は、実際には、偏光顕微鏡とコンペンセーターを用いることにより測定することができ、この値が大きいほど異方性が大きくなり、クレーズが生じ易くなる。
【００２４】
本考案に用いる通気性フィルムには、縞状のクレーズが設けられている。該縞状のクレーズは、基本的に、高分子樹脂フィルムの分子配向の方向と略平行に、幅が一般に０．５〜１００μｍ、好ましくは１〜５０μｍのものである。フィルムの厚み方向に貫通しているクレーズの数の割合は全クレーズの数に対して１０％以上、好ましくは２０％以上、特に好ましくは４０％以上必要であり、貫通している割合が上記範囲未満であると十分な通気性が得られ難くなる。該クレーズを分子配向の方向と略平行の方向に形成するのは、分子鎖の配向の方向と直角の方向に引っ張ることによってクレーズが形成され、分子鎖の配向の方向と直角の方向にクレーズを形成することが難しいからである。
【００２５】
上記、高分子樹脂フィルムに形成されるクレーズは、一般に０．１〜１，０００μｍ、好ましくは１〜８００μｍの間隔で形成され、縞状の領域として認識できる程度の量である。
【００２６】
上記の様な通気性フィルムは、用いる樹脂の種類により異なるが、例えばポリ弗化ビニリデンのホモ重合体を用いると、酸素及び窒素ガスのガス透過度で一般に０．３〜１００，０００×１０−４ｃｍ３／ｍ２・２４ｈｒ・ａｔｍの範囲内のものに、引張強度で一般に５〜５０ＭＰａ、好ましくは６〜５０ＭＰａ、特に好ましくは７．５〜５０ＭＰａの範囲内のものにすることができる。
【００２７】
本考案に用いる通気性フィルムの通気性の程度は、高分子樹脂フィルム中に形成されたクレーズの幅、クレーズ間の隔たり、クレーズの貫通された数の割合を変えることで調節することができる。具体的には、高分子樹脂フィルムの分子配向の度合いやクレーズを形成させる時の温度、高分子樹脂フィルムの緊張度（緊張状態における張力）、フィルムの折り曲げ角度等を調節することで、容易に通気性をコントロールすることができ、使用目的に応じた通気性フィルムを提供することができる。例えば、クレーズを形成させる時の緊張度を増大させたり、折り曲げ角度を小さくすると、生成するクレーズの間隔は小さくなり、クレーズの貫通された数の割合が増大し、その結果、通気性は増大する。この様なクレーズの幅、クレーズ間の隔たり、貫通されたクレーズの割合を変えることで調節された通気性フィルムは、二酸化炭素ガスのガス透過度、透湿度、引張強度等をコントロールすることができる。
【００２８】
本考案は、浴槽、足湯浴槽等に加圧された二酸化炭素を微細な泡の状態で融合させることにより遊離炭酸濃度を効果的に富加して単純炭酸泉と同様の効果を得るものであり、天然炭酸泉により近いものとなっている。天然炭酸泉は天然炭酸泉浴のヒト生理機能に対する効果として、高濃度の遊離炭酸ガス（１０００ｐｐｍ以上）を含む炭酸泉での水浴は、皮膚血流量の増加、心拍数の減少、動脈血圧の低下など心臓血管系への効果が報告され、二酸化炭素は以前から血行障害の治療等にも効果を有することが医学的に立証されている。
【００２９】
超微細気泡発生用ノズル８の気泡発生部を構成する気体透過材１６を、加圧気体のとうかにより透過気性を発する気体多孔性セラミックスにて形成する、浴槽投入式浴槽用遊離炭酸供給器。
【産業上の利用可能性】
【００３０】
本考案の活用例としては洗顔用具および洗顔器具、皮膚病等の治療器具等としても適用できる。
【符号の説明】
【００３１】
２    支持体
４    保護カバー
６    気泡噴出孔
８    超微細気泡発生用ノズル
１０    レギュレーター（減圧弁）
１２    圧縮ボンベ
１４    締結キャップ
１６    気体透過材
１８    突起部
【図１】
0003223507.tif 000003
【図２】
0003223507.tif 000004
【図３】
0003223507.tif 000005
【手続補正書】
【提出日】令和1年8月9日(2019.8.9)
【手続補正１】
【補正対象書類名】実用新案登録請求の範囲
【補正対象項目名】全文
【補正方法】変更
【補正の内容】
【実用新案登録請求の範囲】
【請求項１】
略円形の筒状であって、周面に気泡噴出孔（６）を有する保護カバー（４）で形成され、開放部先端には、締結キャップ（１４）を勘合するためのネジ部が設けられている有底の支持体（２）と、周面に通気可能な細孔を無数有する有底の筒状体であり、外周面を気体透過材（１６）気体透過性クレーズフィルムにて被覆してなる気泡発生部を形成し、筒状体の開放部がレギュレーター（１０）に固着される超微細気泡発生用ノズル（８）と、圧縮ボンベ（１２）より送気されるガスを減圧するレギュレーター（１０）と、二酸化炭素が１９ＭＰａ程度に圧縮されて充填された圧縮ボンベ（１２）と、支持体（２）と勘合することにより、該圧縮ボンベ（１２）の先端開放部に設けられた隔壁の破壊と本物品を安定した状態に固定する締結キャップ（１４）で構成され、有底の筒状体である支持体（２）には、超微細気泡発生用ノズル（８）と、レギュレーター（減圧弁）（１０）と、圧縮ボンベ（１２）が固定して内蔵され、レギュレーター（減圧弁）（１０）には、圧縮ボンベ（１２）の先端開放部と当接する位置に通気孔を有する突起部が形成され、締結キャップ（１４）を支持体（２）と勘合することにより、該締結キャップ（１４）にて圧縮ボンベ（１２）の先端開放部が、該突起部方向に強くおしつけられ、該圧縮ボンベ（１２）の先端開放部に設けられた隔壁が破壊され、圧縮ボンベ（１２）に充填されていた二酸化炭素が、レギュレーター（減圧弁）（１０）を介して超微細気泡発生用ノズル（８）の外周面に配設された気体透過材（１６）をクレーズフィルムにて構成する気泡発生部より超微細な気泡が浴槽、足湯浴槽等に放出される浴槽投入式浴槽用遊離炭酸供給器。
【請求項２】
超微細気泡発生用ノズル（８）の気泡発生部を構成する気体透過材（１６）を通気性を有する多孔性セラミックスにて形成する、請求項１に記載の浴槽投入式浴槽用遊離炭酸供給器。
【手続補正２】
【補正対象書類名】明細書
【補正対象項目名】０００７
【補正方法】変更
【補正の内容】
【０００７】
気泡噴出孔６を有する有底の支持体２に、気泡発生部２０を構成する気体透過材１６をクレーズフィルムにて形成する超微細気泡発生用ノズル８と、レギュレーター（減圧弁）１０と、二酸化炭素の充填された圧縮ボンベ１２を収容し、締結キャップ１４を支持体２の開放部に勘合することにより、圧縮ボンベ１２に充填されている二酸化炭素が、レギュレーター（減圧弁）１０を介して超微細気泡発生用ノズル８内に放出される本考案の浴槽用遊離炭酸供給器を、浴槽、足湯浴槽等に投入することで、炭酸浴を享受することが容易にできる。
【手続補正３】
【補正対象書類名】明細書
【補正対象項目名】００１１
【補正方法】変更
【補正の内容】
【００１１】
支持体２は、気泡噴出孔６を有する保護カバー４で形成される有底の筒状体であり、超微細気泡発生用ノズル８と、レギュレーター（減圧弁）１０と、圧縮ボンベ１２が固定して内蔵される。支持体２の開放部先端には、締結キャップ１４を勘合するためのネジ部が設けられている。
【手続補正４】
【補正対象書類名】明細書
【補正対象項目名】００１２
【補正方法】変更
【補正の内容】
【００１２】
超微細気泡発生用ノズル８の本体は、周面に通気可能な細孔を無数有する有底の筒状体であり、外周面には気体透過材１６をクレーズフィルムにて構成する気泡発生部が形成され、筒状体の開放部がレギュレーター１０に固着される。
【手続補正５】
【補正対象書類名】明細書
【補正対象項目名】００２９
【補正方法】変更
【補正の内容】
【００２９】
超微細気泡発生用ノズル８の気泡発生部を構成する気体透過材１６を、加圧気体の透過により気体透過性を発する多孔性セラミックスにて形成する、浴槽投入式浴槽用遊離炭酸供給器。